(57)【要約】      （修正有）【課題】切断した苗木と穂木を接合した接ぎ木の接合部を確実に接合することができる結合具の提供。【解決手段】合成樹脂等の弾性変形可能な材料からなる略長方形をした係合可能な一対の雄型と雌型を形成して、接ぎ木苗の接合部を挟んで保持する接合具を前記雄型の内側面の四隅近くに雌型に係合する係合突起を設けて、中央面に短辺方向の苗木挟持用の凹溝を設けると共に該凹溝の内周面に複数の突条を形成して、その外側面の短辺の一つの側縁部に沿って突条片を設けて形成すると共に、前記雌型の内側面の四隅近くに雄型と係合する係合孔を設けて、短辺方向の中央面に前記雄型の凹溝と対応した苗木挟持用の凹溝を設けると共に該凹溝内周面に複数の突条を形成して、その外側面の短辺の一つの側縁部に沿って突条片を設けて形成して接ぎ木苗を接合、保持する接合具を構成する。【選択図】図３
2004261013.tif 000002
【特許請求の範囲】
【請求項１】
プラスチック等の柔軟性材料からなる板状の二枚の小片により苗木の接ぎ木接合部を挟持して固定する結合具であって、前記小片の向かい合う内面の中央に苗木挟持用の溝が形成されるとともに、溝の表面に複数の突条が設けられていて、複数個の突起と該突起と嵌合する結合穴とを有する使用する接木部を固定する結合具。
【発明の詳細な説明】
【０００１】
【産業上の利用分野】
本発明は、台木苗と穂木苗とをそれぞれ別々の把持装置に連続して供給し、該台木苗と穂木苗との接合部を保持して固定する結合具、特に、自動接木装置に適した結合具に関するものである。
【０００２】
【従来の技術】
本発明者等は、長年に亙り接木苗を作り続けてきたが、その大半は手作業によるものであった。
しかし、近年になって接木による苗の生産についての研究がなされた結果、手作業に代わって機械による苗の生産が行えるようになってきた。
その一例として、特開平２−１０７１２５号に見るようなものが知られているが、しかしながら、この発明に於いては、接ぎ木用の苗木を連続して供給することができず、また、特開平３−６１４２９号や特開平２−１９０１１８号等に見るようなものは、苗木を連続して供給することはできるが、苗木を切断するのに旋回するアームの先に切断を設けて切断するので、切断面に問題があったり、また、固定手段として洗濯挟み状をしたバネ挟みを用いている等のことから色々と不都合を生じて、満足できるのではなかった。
【０００３】
【発明が解決しようとする課題】
手作業による接木の生産には、多くの熟練者を必要とするが、近年は、人材の確保が難しくなるとともに、人件費の高騰化及び作業者の高齢化をもたらしている。
そこで、本発明者は、架台上に設けた一対の回転するテーブルに複数の把持装置を設けておいて、該把持装置に苗木及び穂木苗を連続的に供給して、切断した苗木と穂木を接合した接ぎ木の接合部を確実に接合することができる結合具を提供するすることを目的とする。
【０００４】
【課題を解決するための手段】
適当な間隔を設けて向かい合う台木用及び穂木用の二つのターンテーブルを、同一架台上に同期して回転するように設け、前記二つのターンテーブル上にはそれぞれ四箇所の苗木把持装置を設けて、把持部である第一ステーションで供給される苗木を把持して、切断部である第二ステーションに移動して切断装置により苗木の所定位置を切断して、接合部である第三ステーションに移動して切断された台木を切断した穂木に接合して、両苗木の接合部を特定の結合具を用いた接合装置により接合し、穂木用ターンテーブルの第四ステーションに移動して接合した苗木を排出するように構成してなる接木装置により苗木を自動的に接続可能とした。
【０００５】
【作用】
一方の台木用ターンテーブル側においては、第一ステーションで台木苗を供給して、把持装置により苗木の片葉と茎部とを把持して固定した後、第二ステーションに移動して、テーブル外側に苗木把持装置と対向して設けられた切断装置により苗木の本葉と成長点部分を切断除去して、接合部である第三ステーションに移動せしめる。
他方のこれと同期する穂木用テーブルにおいては、第一ステーションで穂木苗を供給して、把持装置により苗木の両葉と二箇所の茎部とを把持して固定した後、第二ステーションに移動して、テーブル外側に苗木把持装置と対向して設けられた切断装置により苗木を把持する二箇所の茎部の中間を切断して、接合接である第三ステーションに移動して、対向する台木の接合面と合わせて接合すると共に、該接合部を結合具により嵌合、保持した後、第四ステーションに移動して、接合した接木苗をベルトコンベア上に排出する。
【０００５】
【実施例】
本発明の一実施例について、以下に図面を参照しつつ説明する。
図１は、本発明の概略を示す全体の側面図であり、本発明の装置の主要部を支持する架台（１）内には、本装置を作動させるモータ（Ｍ）が内蔵されていて、該モータは架台（１）の下部の両側に設けられた足踏みペダル（Ｐ）によりスイッチが導通するように設けられている。
台木苗用ターンテーブル（２）と穂木苗用ターンテーブル（３）とは、適当な間隔を設けて、それぞれ架台（１）上面に設置されたインデックス１０４，１０５に軸支されていて、両インデックスは前記足踏みペダル（Ｐ）を踏むことによりスイッチが入って架台（１）内に設けられたモータ（Ｍ）により同期して間歇的または連続的に同期して回転作動するように形成されている。
【０００６】
また、架台（１）上には、前記両ターンテーブル（２）（３）の前にそれぞれ作業台１０２，１０２が設けられていて、各作業台上に接木苗を台木用と穂木用とに分けて載置して、能率良く苗が供給できるようになっている。
更に、前記両作業台１０２の両側には、それぞれ光エリアセンサーからなる安全装置１０３が設けられて、作業者の安全が図られている。
【０００７】
台木用テーブル（２）と穂木用テーブル（３）の後方寄り側面の架台（１）上には、二本の支柱（１０６）が立設されていて、該支柱上には後記する結合具のパーツフィーダー（７）（７）が載置されており、該フィーダーからはそれぞれ後記する接合装置へ結合具のパーツが連続的に供給される。
また、前記支柱には、パーツフィーダーの下方の適当な高さの位置に、前記テーブルと平行な横方向に延びる軸板（６）が固着されていて、該軸板には後述する苗把持装置を作動させるシリンダーが取り付けられている。
【０００８】
図２は、本装置におけるターンテーブル部分の概略を示す平面図であり、台木用テーブル（２）には、円周方向の４箇所に等間隔で台木把持装置２０１が設けられており、これと対向する穂木用テーブル（３）にも、同じく円周方向の４箇所に等間隔で穂木把持装置３０１が設けられていて、台木用テーブル（２）は時計方向回りに、苗木の供給及び把持部である第一ステーション、苗木の切断部である第二ステーション、苗木の接合部である第三ステーション、休止部である第四ステーションを構成し、これと対向する穂木用テーブル（３）は反時計回りに、苗木の供給及び把持部である第一ステーション、苗木の切断部である第二ステーション、苗木の接合部である第三ステーション、接合した苗木の排出部である第四ステーションを構成している。
【００２２】
次に、本発明の特徴である結合具及び結合具の接合部への供給態様について説明しておく。
結合具は、図２１及び図２２に示すように、プラスチックス等のやや柔軟性を有する材料からなる略長方形をした板状の雄、雌の小片１０，１１の組み合わせで構成される。
雄型１０は、略長方形の小片の内面四隅近くに４本の突起１０１を形成するとともに、短辺方向の中央部に苗木挟持用の溝１０３を設け、該溝内周面に複数本の突条１０２を形成し、外面には短辺側の一隅面に突条１０２を形成するとともに、両短辺の中央内側寄りに一対の凹穴１０５を設けたものである。
雌型１１は、略長方形の小片の内面四隅近くに雄型の突起１０１に嵌合する貫通孔１１１を形成するとともに、短辺方向の中央部に雄型の溝１０３と対応する苗木挟持用の溝１１３を設け、該溝内周面に複数本の突条１１４を形成し、外面には短辺側の一隅面に突条１１２を形成したものである。
上記のような構成としたことにより、苗木挟持用の溝１０３，１１３は、苗木を挟持位置に確実に位置決めできて、茎を傷めることもない。更に、この様な結合具で接木苗の接合部を挟持した場合には、溝の内周面に形成した複数の突条が苗木の茎表面に引っ掛かって、抜けることがなくて接合率が高い。
また、外面には短辺側の一隅面に突条１０２，１１２を形成したことにより、結合具を接合位置に自動供給する際に、小片の裏表、前後左右等の供給方向の判別が容易にできるので、正しい向きに供給できて、確実に結合することができる。
【００２９】
【発明の効果】
以上説明したように、本発明の接木装置を用いれば単純な作業により台木苗と穂木苗を切断して、結合具を用いて接合、固定できるので、省力的で、誰でも容易に接木なえを生産することが出来る。
【図１】
2004261013.tif 000003
【図２】
2004261013.tif 000004
【図３】
2004261013.tif 000005
【図４】
2004261013.tif 000006
【手続補正書】
【提出日】平成15年2月13日(2003.2.13)
【手続補正１】
【補正対象書類名】明細書
【補正対象項目名】全文
【補正方法】変更
【補正の内容】
【特許請求の範囲】
【請求項１】合成樹脂等の弾性変形可能な材料からなる略長方形をした平板状の小片を係合可能な一対の雄型と雌型を形成して、前記雄型と雌型により接ぎ木苗の接合部を挟んで係合せしめて保持する接合具であって、
前記雄型は、その内側面の四隅近くに雌型に係合する係合突起を設けて、中央面に短辺方向の苗木挟持用の凹溝を設けると共に該凹溝の内周面に複数の突条を形成して、また、その外側面の短辺の一つの側縁部に沿って突条片を設けて形成されており、
前記雌型は、その内側面の四隅近くに雄型の係合突起が係合する係合孔を設けて、短辺方向の中央面に前記雄型の凹溝と対応した苗木挟持用の凹溝を設けると共に該凹溝内周面に複数の突条を形成して、また、その外側面の短辺の一つの側縁部に沿って突条片を設けて形成されていることを特徴とする接ぎ木苗を接合、保持する接合具。
【請求項２】前記雄型には、その外側面に両短辺側縁部の内側寄に浅い凹部を設けられてなることを特徴とする請求項１に記載する接ぎ木苗を接合、保持する接合具。
【請求項３】前記雌型は、苗木挟持用の凹溝が上方は角形でやや狭く、下方に行くに従って円弧状に広がるように形成されていることを特徴とする請求項１に記載する接ぎ木苗を接合、保持する接合具。
【請求項４】前記雄型および雌型は分解可能な材料から形成されていることを特徴とする請求項１乃至請求項３に記載する接ぎ木苗を接合、保持する接合具。
【発明の詳細な説明】
【０００１】
【産業上の利用分野】
本発明は、茄子や胡瓜等の各種の果菜類の苗木を接ぎ木により生産するに際して、台木苗と穂木苗との接合部を挟着して保持する接ぎ木接合具、特に、接ぎ木するための色々な装置や自動接ぎ木装置等を用いて台木苗と穂木苗とを接合して接ぎ木苗を生産する各種の装置に連続的に供給して、前記台木苗と穂木苗との接合部を自動的に挟着して保持するのに適した接合具に関するものである。
【０００２】
【従来の技術】
従来から行われてきた接ぎ木苗は、ほとんど手作業により穂木と台木と接合して生産されるもので、特開平３−５８７１８号公報や実開平４−６５３０号公報等に見るように、穂木と台木との接合部を保持するには、テープ状をしたクリップや弾性筒状体を用いて一本ずつ巻くようにして固定するので、多くの熟練者を必要とした。
ところが近年になって、各種の果菜類の栽培技術の進歩に伴って、これらの温室栽培が行われるようになって、土壌菌による各種の病害や連作障害の発生の防止が望まれるようになって、対病性に強い苗についての研究が一段となされた結果、接木による大量の苗の生産が行われるようになり、接ぎ木苗の生産が手作業から接ぎ木装置を用いた機械により行われるようになってきた。
【０００３】
こうした接ぎ木装置を用いた機械による苗木の生産において、穂木と台木との接合部を保持するには、特開平３−６１４２９号や特開平４−１９０７１７号公報に見るように洗濯挟み状をしたクリップを接合具として用いて、接合部を挟み付けて固定していた。
しかし、上記したような洗濯挟み状のクリップを用いて接ぎ木装置により苗木の接合して保持するには、クリップをカセットに装填しておいてから接合部に供給してやらなければならず、供給ホッパーに投入したものを自動的に整列させて順次接合部に供給することはできないし、また、苗木の接合部を挟んで固定するクリップは金属バネを用いて挟み付けるので、苗木の成長につれて簡単に外れて落下しないなど色々と不都合を生じて、満足できるのではない。
【０００４】
【発明が解決しようとする課題】
本願発明は、上述した従来の問題点を解決するために創案されたもので、苗木の接合部を保持する接合具を、苗木の生育を阻害することないように形成すると共に、穂木と台木との接合部を簡単に、且つ、正確に保持することができるような形状に形成して、接ぎ木した後には、苗木の成長につれて苗木から自然に脱落可能に構造に形成する。
そして、更に、接ぎ木装置を用いた苗木の生産に於いて、台木苗及び穂木苗を所定の位置で切断して、切断された両切断面を接合せしめた後に、接合した接合部を保持して固定する接ぎ木装置に於いて、供給ホッパーに投入された前記接合具を、接合、固定部へ自動的に送給しつつ整列せしめて、正確な姿勢で苗木の接合部を簡単に保持することができる接ぎ木装置を用いた苗木の生産に適した接合具を提供することを目的とする。
【０００５】
【課題を解決するための手段】
本願の発明は、台木苗と穂木苗とを接合した苗木の接合部を保持して固定する接合具を、合成樹脂等の弾性変形可能な材料を用いて略長方形をした平板状の係合可能な雄型と雌型に成形して、前記雄型と雌型により苗木の接合部を両側から挟んで保持可能に構成する。
そして、前記雄型は、略長方形をした平板状の小片に成形して、内側面の四隅近くに雌型に係合する係合突起を設けて、中央面に短辺方向の苗木挟持用の溝を設けると共に該溝の内周面に複数の突条を形成して、更に、該小片の外側面の短辺の一つの側縁部に沿って突条片を設けると共に、両短辺側縁部の内側寄に浅い凹部を設けた構造に形成する。
また、前記雌型は、略長方形をした平板状の小片に成形して、内側面の四隅近くに雄型の係合突起が係合する係合孔を貫通して設けて、短辺方向の中央面に前記雄型の溝と対応した苗木挟持用の溝を設けると共に該溝内周面に複数の突条を形成して、更に、該小片の外側面の短辺の一つの側縁部に沿って突条片を設けた構造に形成する。
【０００６】
【実施例】
本発明の一つの実施例について、以下に図面を参照しつつ説明する。
本願発明の接合具１０は、合成樹脂等のやや柔軟性を有する材料から成形されたもので、図１及び図２に示すように、略長方形をした板状の小片からなる雄型２０と雌型３０とを係合せしめて構成される。
前記した雄型２０は、熱可塑性合成樹脂の射出成形により略長方形の平板状をした小片に成形されて、図１に示すように、平板状小片の内側面には、四つの隅部近くに４本の係合突起２１が形成されると共に、中央部には短辺方向の苗木挟持用の凹溝２２が形成されて、該凹溝の内周面に滑り止めまたは抜け止めの突条が複数本設けられて、また、平板状小片の外側面には、短辺側縁に沿って前後方向の検出用のリブ状の突条２４が形成されると共に、両短辺側縁の中央の内側寄りに位置決め用の一対の凹部が形成される。
【０００７】
また、前記雌型３０は、同様にして略長方形の平板状をした小片に成形されて、図２に示すように、内側面の四隅近くに前記雄型の突起２１に係合する係合孔３１が貫通して形成されると共に、短辺方向の中央部には前記雄型の溝２２と対応した苗木挟持用の凹溝３２が形成されて、該凹溝の内周面には滑り止めまたは抜け止めの複数本の突条３３が設けられて、また、平板状小片の外側面には短辺側縁に沿って前後方向の検出用の突条３４が形成される。
【０００８】
上記のように形成された本願発明の接合具１０を用いて接ぎ木苗を接合、保持するには、図３に模式的に示したように、把持装置において把持して切断された台木４０ｂと穂木４０ａとの切断面が、接合装置により合着された状態の接合部４０ｃに対して、両側から雄型２０と雌型３０とを圧着して係合せしめると、図４に示すように、雌型の係合孔３１に雄型の係合突起２１が係合して、苗木挟持用の凹溝２２，３２に苗木の接合部４０ｃを保持した状態で固定した接合具１０に構成される。
【０００９】
実際に自動接木装置に本願発明の接合具１０を適用して苗木を接合する場合には、図５に示すように、台木用ターンテーブルの把持装置に把持された台木部分に雄型を供給して、雄型の台木挟持用の凹溝内に台木を保持した状態になると同時に、穂木用ターンテーブルの把持装置に把持された穂木部分に雌型を供給して、雌型の穂木挟持用の凹溝内に穂木を保持した状態になると、自動的にシリンダー２９，３９が作動して、雄型と雌型を押圧して前進させるので、図４に示すように、雄型と雌型とは係合して苗木の接合部４０ｃを保持した状態にして固定されるようになっている。
【００１０】
上記のように形成した本願発明は、台木４０ａと穂木４０ｂの接合部４０ｃを接合具１０である雄型２０と雌型３０のそれぞれの苗木挟持用の溝２２，３２内に保持するので、苗木を挟持位置に確実に位置決めできて、茎を傷めることもないし、また、木苗の接合部を挟持した場合には、溝の内周面に形成した複数の突条が苗木の茎表面に引っ掛かって、抜けることがなくて接合率が非常に高い。
また、外面には短辺側の一隅面に突条２４，３４を形成したことにより、接合具の雄型２０と雌型３０を供給ホッパーから接合位置へ自動供給する際に、雄型２０および雌型３０の外表面にリブ状の突条を設けてあるので、前後左右等の供給方向の判別を容易にすることができるので、正しい向きにして接合位置の押し出しシリンダーに供給することができて、確実に結合することができる。
尚、上記接合具は、台木側の雄型をやや硬質の材料で、穂木側の雌型をやや軟質材料で形成するのが好ましいが、ポリプロピレン、ポリエチレン等の熱可塑性合成樹脂に限らず、分解性の樹脂やその他の分解可能な材料で形成することも可能である。
【００１１】
上記のように形成された本願発明の接合具を用いた接合方法について簡単に説明すると、概略を図１および図２に示すように  本発明の装置の主要部を支持する架台１内には、本装置を作動させるモータＭが内蔵されていて、該モータは架台１の下部の両側に設けられた足踏みペダルＰによりスイッチが導通するように設けられている。
台木苗用ターンテーブル２０１と穂木苗用ターンテーブル３０１とは、適当な間隔を設けて、それぞれ架台１上面に設置されたインデックス１０４，１０５に軸支されており、両インデックスは架台）内に設けられたモータＭにより同期して間歇的または連続的に回転するようになっている。
この回転動作は、前記足踏みペダルＰを踏むことによりスイッチが入って作動するようになっている。
【００１２】
同一の架台１上に向かい合うようにして台木用と穂木用の二つのターンテーブル２，３が同期して回転するように設けられて、前記二つのターンテーブル上にはそれぞれ４箇所に苗木把持装置２０１，３０１が設けられると共に、前記のそれぞれのターンテーブル上方には接合具の雄型２０と雌型３０を供給する供給ホッパー７が設けられた接木装置を形成して、合成樹脂等の弾性変形可能な材料を用いて略長方形の平板状に形成した係合可能な雄型２０と雌型３０を、前記供給ホッパー７に充填、投入して自動接木装置を構成する。
【００１３】
前記のように構成された自動接木装置の台木用ターンテーブル２に於いて、把持部である第一ステーションで台木苗を供給して、把持装置２０１により苗木の片葉と茎部とを把持して固定した後、切断部である第二ステーションに移動して、テーブル外側に苗木把持装置２０１と対向して設けられた切断装置により苗木の本葉と成長点部分を切断除去して、接合部である第三ステーションに移動せしめる。
【００１４】
前記台木用ターンテーブルと同期する穂木用テーブルに於いて、把持部である第一ステーションで穂木苗を供給して、把持装置により苗木の両葉と二箇所の茎部とを把持して固定した後、切断部である第二ステーションに移動して、テーブル外側に苗木把持装置と対向して設けられた切断装置により苗木を把持する二箇所の茎部の中間を切断して、接合部である第三ステーションに移動せしめる。
【００１５】
そして、接合部である第三ステーションで対向させた台木と穂木の切断面を密着可能に対向せしめてから、供給ホッパーから自動的に送り出される前記雄型と雌型の接合具を整列しつつ方向決めを行って連続的に接合部へ送給して、雄型の溝に台木を、雌型の溝に穂木を位置せしめてから接合装置により雄型と雌型を押圧して、雄型の突起を雌型の係合孔に係合せしめて接合部を保持して固定してから、排出部である第四ステーションに移動せしめて、接合された接木苗をベルトコンベア上に排出して移送される。
【００２３】
上記した接ぎ木装置においては、架台上に立設した支柱上に接合具の雄型と雌型を接合位置に供給するためのパーツフィーダを載置した形式にして、該パーツフィーダ内に結合具の部品を装填して供給するようにしたが、パーツフィーダは架台上に設けずに、別の位置に設けることも可能である。
また、装填される部品は、フィーダの微振動により搬送しながら整列及び方向位置決めをして、シュート内へ連続的に給送するようにしたが、振動による整列に変えて別の整列手段を用いることも可能である。
【００２９】
【発明の効果】
以上説明したように、接木装置に於いて、本発明の接合具を用いて切断した台木苗と穂木苗を接合せしめて、簡単に且つ確実に接合、固定できるので、省力的で、誰でも容易に接木苗を生産することができる。
【図面の簡単な説明】
【図１】本願発明の接合具の雄型の内面と外面を示す斜視図である。
【図２】本願発明の接合具の雌型の内面と外面を示す斜視図である。
【図３】本願発明の接合具を用いて台木と穂木との接合模式図を示す斜視図である。
【図４】本願発明の接合具を用いて台木と穂木を接合した状態を示す斜視図である。
【図５】接木装置において実際に接合する状態を示す斜視図である。
【図６】本願発明の接合具を用いた接木装置の一つを示す正面図である。
【図７】図６に示す接木装置の平面図である。
【符号の簡単な説明】
１．  架台
２．  ターンテーブル（台木）
３．  ターンテーブル（穂木）
７．  パーツフィーダー
１０．  接合具
２０．  雄型
２４．  突条
３０．  雌型
３４．  突条
４０ａ．  穂木
４０ｂ．  台木


【手続補正２】
【補正対象書類名】図面
【補正対象項目名】図１
【補正方法】変更
【補正の内容】
【図１】
2004261013.tif 000007
【手続補正３】
【補正対象書類名】図面
【補正対象項目名】図２
【補正方法】変更
【補正の内容】
【図２】
2004261013.tif 000008
【手続補正４】
【補正対象書類名】図面
【補正対象項目名】図３
【補正方法】変更
【補正の内容】
【図３】
2004261013.tif 000009
【手続補正５】
【補正対象書類名】図面
【補正対象項目名】図４
【補正方法】変更
【補正の内容】
【図４】
2004261013.tif 000010
【手続補正６】
【補正対象書類名】図面
【補正対象項目名】図５
【補正方法】追加
【補正の内容】
【図５】
2004261013.tif 000011
【手続補正７】
【補正対象書類名】図面
【補正対象項目名】図６
【補正方法】追加
【補正の内容】
【図６】
2004261013.tif 000012
【手続補正８】
【補正対象書類名】図面
【補正対象項目名】図７
【補正方法】追加
【補正の内容】
【図７】
2004261013.tif 000013